(57)【要約】【課題】万線モアレ技術を利用した潜像を有する画像形成体で、技術的に一般化されておらず、その偽造・複製が極めて困難で、かつ潜像部が視認されにくく潜像部の形成が容易な潜像を有する画像形成体とその顕像化方法の提供にある。【解決手段】基材上にピッチ、幅、形状が均一でない破線でなる変形万線パターン１０でなり、この変形万線パターン１０の一部にその位相を１／２ピッチ分だけずらして潜像化されている万線モアレ像が形成されている潜像を有する画像形成体１であって、この顕像化はこの変形万線パターン１０と同じパターンの変形万線パターンフィルムを、同じパターンの位置に整合・重ね合わせで行うもので、この変形万線パターン１０と交差するように変形波形状万線２０でレリーフ像として可視化されている可視像２２が形成されている。【選択図】図１
2004174880.tif 000002
【特許請求の範囲】
【請求項１】
基材上にピッチ、幅、形状が均一でない変形万線パターンでなり、その位相を１／２ピッチずらして潜像化されている万線モアレ像が形成されていることを特徴とする潜像を有する画像形成体。
【請求項２】
上記変形万線パターンが破線で形成されていることを特徴とする請求項１記載の潜像を有する画像形成体。
【請求項３】
上記変形万線パターンに対し、それと交差する変形波形状万線でレリーフ像として可視化されている可視像が形成されていることを特徴とする請求項１または２記載の潜像を有する画像形成体。
【請求項４】
上記変形万線パターンが基材上に形成されている印刷画像からなることを特徴とする請求項１、２または３記載の潜像を有する画像形成体。
【請求項５】
上記変形万線パターンが基材上の金属薄膜に形成されている凹凸パターンからなることを特徴とする請求項１、２または３記載の潜像を有する画像形成体。
【請求項６】
基材上にピッチ、幅、形状が均一でない変形万線パターンでなり、その位相を１／２ピッチずらして潜像化されている万線モアレ像が形成されている潜像を有する画像形成体の顕像化方法であって、前記変形万線パターンと同じパターンが形成されている変形万線パターンフィルムの、前記万線モアレ像が形成されている部分に相当する位置を整合・重ね合わせて顕像化することを特徴とする潜像を有する画像形成体の顕像化方法。
【請求項７】
上記前記変形万線パターンが破線で形成されていることを特徴とする請求項６記載の潜像を有する画像形成体の顕像化方法。
【請求項８】
上記変形万線パターンが基材上に形成されている印刷画像からなることを特徴とする請求項６または７記載の潜像を有する画像形成体の顕像化方法。
【請求項９】
上記変形万線パターンが基材上の金属薄膜に形成された凹凸パターンからなることを特徴とする請求項６または７記載の潜像を有する画像形成体の顕像化方法。
【発明の詳細な説明】
【０００１】
【発明の属する技術分野】
本発明は、株券、商品券あるいはクレジットカード等有価証券の他、商品用の封印シールやタグ類に偽造・複製の防止用として施す画像形成体に関するものである。
【０００２】
【従来の技術】
従来、株券、商品券さらにはクレジットカード等有価証券類の他、商品用の封印シールやタグ類に至るまで偽造・複製による不正使用を防止するため、精巧な印刷技術による印刷等が施されているのが一般的であったが、近年の偽造・複製による不正使用の頻発に鑑み、これら精巧な印刷等に加え特殊な偽造防止策が施されるようになってきた。
【０００３】
この特殊な偽造防止策として、例えばホログラムを貼付けるたり、紫外線で発色する材料や画像を施して紫外線照射で真偽判定をする方法などがあり、あるいは、後に詳述するが、金属箔層に万線方向が異なる万線状凹凸パターン群が複数集合したエンボスパターンを形成したもので、見る角度を変化させると万線状凹凸パターン群の濃淡や輝きが変化する所謂オパール効果を有する画像体として有価証券類等に貼付けたりする方法や、さらには万線が略１対１の幅の潜像部と非潜像部とでなり、その万線が潜像部と非潜像部で位相が１／２ピッチずらしてある印刷物に、この万線と同形状の万線パターンを有する万線フィルムを重ね合わせると、非潜像部がこの万線フィルムの万線パターンで隠され、潜像部のみが像として浮かび上がって見えるようになり、この潜像部の像の有無で真偽判定をする「万線モアレ方式」という技術を用いた方法がある。
【０００４】
上記「万線モアレ方式」について、さらに詳しく説明すると、例えば図７の正面図に示すように、幅とピッチが略１対１の万線パターンがハート型の潜像部（３０）とそれ以外の非潜像部（３２）とを形成し、図７に示すＡ部の部分拡大図として図８に示すように、潜像部（３０）と非潜像部（３２）の万線パターンの万線方向が同方向で、その位相を１／２ピッチずらしてあり、この像を万線モアレ像（３）といい、図９の正面拡大図に示すように、この万線と略同形状（万線幅（Ｗ）とピッチ（Ｐ））の万線パターンを有する万線フィルム（３４）を重ね合わせると、非潜像部（３２）がこの万線フィルム（３４）の万線パターンで隠され、図１０に示すように、潜像部（３０）のみがハート型の画像として浮かび上がって見えるようになるものである。この万線モアレ像（３）を偽造防止用として使用する場合、図７に示すように、潜像部（３０）の近傍に例えば三角形の可視像（３６）を形成しておき、通常肉眼では三角形の可視像（３６）のみが見えているので、一見してこの可視像（３６）が偽造防止策と思わせるもので、実質の真偽判定は、図９に示すように、上記万線フィルム（３４）をこの万線モアレ像に重ね合わせることによって、図１０に示すように、可視像（３６）に加えハート型の潜像部（３０）の有無で行うものである。
【０００５】
以上いずれの方法も開発当時は、カラーコピー機やスキャナー等を駆使して複写物を作製しても、その複製は困難で偽造防止策として有効な技術であった。
【０００６】
【発明が解決しようとする課題】
しかしながら、最近では前記のホログラム技術や紫外線照射で真偽判定する技術は一般化されてきて、偽造・複製が比較的容易なものとなってきた。また、前記のオパール効果を利用した技術においても比較的容易に万線形状を読み取ることができ、この技術と機械があれば偽造・複製が容易なものとなってきた。さらにまた、前記の「万線モアレ」の技術を利用した方法は、パターン自体は比較的単純であるため、その偽造防止等に気付き、それなりの知見と技術のある者であれば容易に作製可能なものであり、かつ上記のように万線パターンの幅、ピッチに極均一性が要求され、この均一性に欠けると潜像部が視認され易くなり、かつ潜像化自体も困難となるという問題があった。そこで本発明者らは、以上の、特に万線モアレの技術を利用した画像形成に関する多大の知見と実験等を行った結果、本発明の潜像を有する画像形成体に至ったものである。
【０００７】
本発明は、かかる従来技術の問題点を解決するものであり、その課題とするところは、有価証券類等に偽造防止策として施す画像形成体、特に万線モアレ技術を利用した潜像を有する画像形成体において、技術的に一般化されておらず、その偽造・複製が極めて困難で、かつ潜像部が視認されにくく潜像部の形成が容易な潜像を有する画像形成体を提供することにある。
【０００８】
【課題を解決するための手段】
本発明に於いて上記課題を達成するために、まず請求項１の発明では、基材上にピッチ、幅、形状が均一でない変形万線パターンでなり、その位相を１／２ピッチずらして潜像化されている万線モアレ像が形成されていることを特徴とする潜像を有する画像形成体としたものである。
【０００９】
上記請求項１の発明によれば、ピッチ、幅、形状が均一でない変形万線パターンでなり、その位相を１／２ピッチずらして潜像化された潜像部でなる万線モアレ像としているので、潜像部が視認されにくく、潜像部の形成が容易で、かつそのデザインに制約されない潜像を有する画像形成体を提供することができる。
【００１０】
また、請求項２の発明では、上記変形万線パターンが破線で形成されていることを特徴とする請求項１記載の潜像を有する画像形成体としたものである。
【００１１】
上記請求項２の発明によれば、上記潜像部を形成している変形万線パターンが破線で形成されているので、その潜像部と非潜像部との境界の視認がより困難なものとなり、よって偽造・複製が極めてしにくい潜像を有する画像形成体を提供することができる。
【００１２】
また、請求項３の発明では、上記変形万線パターンに対し、それと交差する変形波形状万線でレリーフ像として可視化されている可視像が形成されていることを特徴とする請求項１または２に記載の潜像を有する画像形成体としたものである。
【００１３】
上記請求項３の発明によれば、上記変形万線パターンと交差するように変形波形状万線でレリーフ像として可視化されている可視像が形成されているので、この可視像がさらに偽造防止効果を高めるとともに、この可視像に誤魔化され、より潜像部が視認され難い潜像を有する画像形成体とすることができる。
【００１４】
また、請求項４の発明では、上記変形万線パターンが基材上に形成されている印刷画像からなることを特徴とする請求項１、２または３記載の潜像を有する画像形成体としたものである。
【００１５】
上記請求項４の発明によれば、変形万線パターンを基材上に形成されている印刷画像からなるものとすることによって、製造に比較的コストが嵩まない潜像を有する画像形成体とすることができる。
【００１６】
また、請求項５の発明では、上記変形万線パターンが基材上の金属薄膜に形成されている凹凸パターンからなることを特徴とする請求項１、２または３記載の潜像を有する画像形成体としたものである。
【００１７】
上記請求項５の発明によれば、変形万線パターンを基材上の金属薄膜に形成されている凹凸パターンからなるものとすることによって、見る角度を変化させると凹凸パターンの濃淡や輝きが変化する所謂オパール効果を有し、デザイン効果に優れる潜像を有する画像形成体とすることができる。
【００１８】
また、請求項６の発明では、基材上に、ピッチ、幅、形状が均一でない変形万線パターンでなり、その位相を１／２ピッチずらして潜像化されている万線モアレ像が形成されている潜像を有する画像形成体の顕像化方法であって、前記変形万線パターンと同じパターンが形成されている変形万線パターンフィルムの、前記万線モアレ像が形成されている部分に相当する位置を整合・重ね合わせて顕像化することを特徴とする潜像を有する画像形成体の顕像化方法としたものである。
【００１９】
上記請求項６の発明によれば、ピッチ、幅、形状が均一でない変形万線パターンでその位相を１／２ピッチずらして潜像化されている万線モアレ像の顕像化が前記ピッチ、幅が均一でない変形万線パターンと同じパターンが形成されている変形万線パターンフィルムの、前記万線モアレ像が形成されている部分に相当する位置を、その万線モアレ像の所に整合・重ね合わせて行うので、一般的にはこの変形万線パターンフィルムの偽造が困難で、かつ真偽鑑定が確実で容易な潜像を有する画像形成体の顕像化方法とすることができる。
【００２０】
また、請求項７の発明では、上記変形万線パターンが破線で形成されていることを特徴とする請求項５記載の潜像を有する画像形成体の顕像化方法としたものである。
【００２１】
上記請求項７の発明によれば、上記変形万線パターンが破線で形成されているので、変形万線パターンでなり視認がより困難な潜像部を顕像化すると、顕像化された部分がよりくっきりした画像となって浮き出てくるので、真偽鑑定が確実で容易な潜像を有する画像形成体の顕像化方法とすることができる。
【００２２】
また、請求項８の発明では、上記変形万線パターンが基材上に形成されている印刷画像からなることを特徴とする請求項６または７記載の潜像を有する画像形成体の顕像化方法としたものである。
【００２３】
上記請求項８の発明によれば、上記変形万線パターンを基材上に形成されている印刷画像からなる潜像を有する画像形成体の顕像化方法とすることによって、製造に比較的コストが嵩まない潜像を有する画像形成体の顕像化方法とすることができる。
【００２４】
さらにまた、請求項９の発明では、上記変形万線パターンが基材上の金属薄膜に形成された凹凸パターンからなることを特徴とする請求項６または７記載の潜像を有する画像形成体の顕像化方法としたものである。
【００２５】
上記請求項９の発明によれば、変形波形状万線と変形万線パターンを基材上の金属薄膜に形成されている凹凸パターンからなる潜像を有する画像形成体の顕像化方法とすることによって、見る角度を変化させると凹凸パターンの濃淡や輝きが変化する所謂オパール効果を有し、デザイン効果に優れる潜像を有する画像形成体の顕像化方法を提供することができる。
【００２６】
【発明の実施の形態】
以下本発明の実施の形態を図面を用いながら詳しく説明する。
【００２７】
本発明は、有価証券類等の偽造・複製等による不正使用を防止するための偽造防止策が施された画像形成体に関するものであり、例えば図１の正面図に示すように、背景にあるピッチ、幅、形状が均一でない変形万線パターン（１０）に形成されて、１／２ピッチずれている潜像部（肉眼では視認できない）でなる潜像を有する画像形成体（１）である。
【００２８】
さらに図１に示すように、例えばこの変形万線パターン（１０）と交差するように変形波形状万線（２０）でレリーフ像を形成している可視像（２２）が形成されていて、通常肉眼では、上記レリーフ像を形成して偽造防止効果を高めている可視像（２２）のみが見えているもので、一見このレリーフ像「ＳＯ」を形成している可視像（２２）が偽造防止策と思われる潜像を有する画像形成体（１）である。
【００２９】
上記変形万線パターン（１０）に形成されている潜像部の顕像化で真偽の鑑定を行うもので、その顕像化は、例えば図１に示すような変形万線パターン（１０）の潜像部近傍に、この潜像部近傍の変形万線パターン（１０）と同じパターンでなるもので、図２の正面図に示すような変形万線パターンフィルム（２４）を整合させ重ね合わせると、図３の正面図に示すように、例えば万線モアレ像「ＡＬＩＴ」でなる潜像部（３０）のみが白く浮かび上がって見えるようになる画像形成体（１）となり、また、上記変形万線パターンフィルム（２４）の重ね合わせを、例えば図３に示すものから１／２ピッチ分だけずらすと、バックが白くなり、万線モアレ像「ＡＬＩＴ」が黒く浮かび上がらせる（図示せず）こともできるもので、この万線モアレ像「ＡＬＩＴ」でなる潜像部（３０）の有無で真偽判定をすることのできる潜像を有する画像形成体（１）としたものである。
【００３０】
上記潜像を有する画像形成体（１）についてさらに詳しく説明すると、例えば図１の拡大図として、図４に示すように、横波でなる変形波形状万線（２０）の背景に、これと略直交するような縦方向の変形万線パターン（１０）があり、この変形万線パターン（１０）は、この万線に対し１／２ピッチ分ずらしてある潜像部（３０）とそれ以外の非潜像部（３２）から構成されている潜像を有する画像形成体（１）であり、この潜像を有する画像形成体（１）に、図２に示すような変形万線パターンフィルム（２４）の所定の部分（実線の内部）を重ね合わせると、図５の拡大図（図３に示す万線モアレ像「ＩＴ」の部分を拡大したもの）に示すように、この変形万線パターンフィルムによって潜像部（３０）の変形万線パターンの線部が隠蔽され、その結果変形万線パターンの非線部のみが「ＩＴ」となって白く浮き上がって顕像化され、一方の非潜像部（３２）では変形万線パターンの非線部が隠蔽され、万線モアレ像「ＩＴ」以外の部分がより黒くなって上記白く浮き上がった潜像部（３０）とのコントラストをより高くするようになるものである。
【００３１】
また、上記図３に示す変形万線パターンフィルム（２４）の重ね合わせを、上記の図５に示した場合より１／２ピッチ分だけずらすと、例えば図６に示すように、この変形万線パターンフィルムによって潜像部（３０）の変形万線パターンの非線部が隠蔽され、その結果変形万線パターンの線部のみが「Ｔ」となって黒く浮き上がり、一方の非潜像部（３２）では変形万線パターンの線部が隠蔽され、万線モアレ像「Ｔ」以外の部分がより白くなって上記潜像部（３０）とのコントラストをより高くするようにすることもできる。
【００３２】
このように、背景にあるピッチ、幅、形状が均一でない複雑な変形万線パターン（１０）に、１／２ピッチ分だけずれている潜像部を形成し、この潜像部の顕像化に、ピッチ、幅、形状が均一でない変形万線パターン（１０）と同一の変形万線パターンで同位置に重ね合わせるという潜像を有する画像形成体（１）とその顕像化方法であり、この画像形成体（１）を企画したもの以外は偽造・複製が全く困難なものとすることができる。
【００３３】
また、上記請求項２に係る発明では、図９に示すような従来の単純な直線状の万線で潜像部（３０）と非潜像部（３２）を形成している万線モアレ像（３）では、潜像部（３０）と非潜像部（３２）との境界が肉眼でも視認し易くなっているが、図４に示すような背景にある変形万線パターン（１０）を破線で形成することによって、ここに形成されている潜像部（３０）と非潜像部（３２）の境界（３３）（白抜き○印の中）の視認をほとんど不可能にしているものである。さらに変形万線パターン（１０）を破線で形成することによって、図１に示すように、変形万線パターン（１０）部が明るくなり、変形波形状万線（２０）でレリーフ像「ＳＯ」を形成している可視像（２２）とのコントラストを大きくする効果もあり、偽造防止効果を高めることに加え、この可視像（２２）に誤魔化されて潜像部と非潜像部の境界は全く視認不可能なものとなり、かつこの可視像（２２）が偽造防止策と思わせる効果をも有する潜像を有する画像形成体（１）とすることができる。
【００３４】
また、上記請求項４に係る発明では、図１に示すように、変形万線パターン（１０）を印刷画像からなる潜像を有する画像形成体（１）とし、上記請求項５に係る発明では、変形万線パターン（１０）を基材上の金属薄膜に形成されている凹凸パターンからなる潜像を有する画像形成体（１）としたもので、前者では、製造に比較的コストが嵩まない潜像を有する画像形成体（１）として適用できるものであり、後者では、見る角度を変化させると凹凸パターンの濃淡や輝きが変化する所謂オパール効果を有し、デザイン効果に優れた潜像を有する画像形成体（１）として適用できるものである。
【００３５】
上記本発明の潜像を有する画像形成体（１）を構成する基材としては、例えば天然繊維紙や合成紙あるいはプラスチック板等が適用でき、さらに上記請求項４に係る発明のように、これら基材に金属薄膜を形成し、この上に凹凸パターンを形成する場合、ワックス系接着剤層を介してアルミニウム箔を金属薄膜としてラミネートしたものや、基材に蒸着アンカー層を介してアルミニウムの蒸着で得ることもできる。また、オパール像や万線モアレ像の万線状凹凸パターンの形成は、これらに相当するエンボスパターンでなるプレス版で、基材上の金属薄膜を押圧して得ることができる。
【００３６】
【発明の効果】
本発明は以上の構成であるから、下記に示す如き効果がある。
即ち、上記請求項１に係る発明において、基材上に変形万線パターンでなり、その位相を１／２ピッチ分だけずらして潜像化されている万線モアレ像が形成されている潜像を有する画像形成体において、前記変形万線パターンがピッチ、幅、形状が均一でないパターンでなり、その位相を１／２ピッチずらして潜像化された潜像部でなる万線モアレ像としているので、潜像部が視認されにくく、潜像部の形成が容易で、かつそのデザインにに制約されない潜像を有する画像形成体を提供することができる。
【００３７】
また、上記請求項２に係る発明においては、上記潜像部を形成している変形万線パターンが破線で形成されているので、その潜像部と非潜像部との境界の視認がより困難なものとなり、かつ変形波形状万線でなるレリーフ像（可視像）とのコントラストが大きくなるので、この可視像に邪魔され、よって偽造・複製が極めてしにくい潜像を有する画像形成体を提供できる効果がある。
【００３８】
また、上記請求項３に係る発明においては、変形万線パターンと交差するように変形波形状万線でレリーフ像として可視化されている可視像が形成されているので、この可視像がさらに偽造防止効果を高めるとともに、この可視像に誤魔化され、上記潜像部がより視認され難い潜像を有する画像形成体とすることができる。
【００３９】
また、上記請求項４に係る発明においては、変形万線パターンを基材上に形成されている印刷画像からなるものとすることによって、製造に比較的コストが嵩まない潜像を有する画像形成体とすることができる。
【００４０】
また、上記請求項５に係る発明においては、変形万線パターンを基材上の金属薄膜に形成されている凹凸パターンからなるものとすることによって、見る角度を変化させると凹凸パターンの濃淡や輝きが変化する所謂オパール効果を有し、デザイン効果に優れる潜像を有する画像形成体とすることができる。
【００４１】
また、上記請求項６に係る発明においては、潜像部の顕像化をピッチ、幅、形状が均一でない変形万線パターンでなり、その位相を１／２ピッチ分だけずらして潜像化されている万線モアレ像の顕像化が前記ピッチ、幅が均一でない変形万線パターンと同じパターンが形成されている変形万線パターンフィルムの、前記万線モアレ像が形成されている部分に相当する位置を、その万線モアレ像の所に整合・重ね合わせて行うので、一般的にはこの変形万線パターンフィルムの偽造が困難で、かつ真偽鑑定が確実でより容易な潜像を有する画像形成体の顕像化方法を提供できる効果がある。
【００４２】
また、上記請求項７に係る発明においては、上記変形万線パターンが破線で形成されているので、変形万線パターンでなり視認がより困難な潜像部を顕像化すると、顕像化された部分がよりくっきりした画像となって浮き出てくるので、真偽鑑定が確実で容易な潜像を有する画像形成体の顕像化方法を提供できる効果がある。
【００４３】
また、上記請求項８に係る発明においては、上記変形万線パターンを基材上に形成されている印刷画像からなる潜像を有する画像形成体の顕像化方法とすることによって、製造に比較的コストが嵩まない潜像を有する画像形成体の顕像化方法とすることができる。
【００４４】
さらにまた、上記請求項９に係る発明においては、変形万線パターンを基材上の金属薄膜に形成されている凹凸パターンからなる潜像を有する画像形成体の顕像化方法とすることによって、見る角度を変化させると凹凸パターンの濃淡や輝きが変化する所謂オパール効果を有し、デザイン効果に優れる潜像を有する画像形成体の顕像化方法を提供できる効果がある。
【００４５】
従って本発明は、株券、商品券あるいはクレジットカード等有価証券の他、商品用の封印シールやタグ類に偽造・複製の防止用として施す画像形成体として、優れた実用上の効果を発揮する。
【図面の簡単な説明】
【図１】本発明の潜像を有する画像形成体の一実施の形態を説明するための正面図である。
【図２】本発明の潜像を有する画像形成体を顕像化するための変形万線パターンフィルムの一実施の形態を示す正面図である。
【図３】本発明の潜像を有する画像形成体が顕像化された一事例の正面図である。
【図４】図１の一部拡大図である。
【図５】図３の一部拡大図である。
【図６】本発明の潜像を有する画像形成体が顕像化された他の一事例を表す正面拡大図である。
【図７】従来の画像形成体を構成する万線モアレ像の一事例を説明するための正面図である。
【図８】図４に示す万線モアレ像の正面図のＡ部の部分拡大図である。
【図９】万線モアレ像に万線フィルムを重ね合わせた一事例を説明するための正面拡大図である。
【図１０】万線モアレ像に万線フィルムを重ね合わせた際に浮き上がって見える潜像部の一事例を示す正面図である。
【符号の説明】
１‥‥潜像を有する画像形成体
３‥‥万線モアレ像
１０‥‥変形万線パターン
２０‥‥変形波形状万線
２２‥‥変形波形状万線でなる可視像
２４‥‥変形万線パターンフィルム
３０‥‥潜像部
３２‥‥非潜像部
３３‥‥潜像部と非潜像部の境界
３４‥‥万線フィルム
３６‥‥可視像
Ｐ‥‥万線フィルムの万線ピッチ幅
Ｗ‥‥万線フィルムの万線幅
【図１】
2004174880.tif 000003
【図２】
2004174880.tif 000004
【図３】
2004174880.tif 000005
【図４】
2004174880.tif 000006
【図５】
2004174880.tif 000007
【図６】
2004174880.tif 000008
【図７】
2004174880.tif 000009
【図８】
2004174880.tif 000010
【図９】
2004174880.tif 000011
【図１０】
2004174880.tif 000012